(57)【特許請求の範囲】
【請求項１】
衝突防止レーダーシステムをテストするためのシミュレータにおいて、前記衝突防止レーダーシステムからの受信信号を出力し、前記衝突防止レーダーシステムへ送信信号を出力するためのアンテナ（606）と、
第一の入力部と第二の入力部と出力部とを有する第一のミキサー（610）と、
第一の入力部と第二の入力部と出力部とを有する第二のミキサー（612）と、
前記アンテナから前記第一ミキサーの第一入力部への前記受信信号を出力するための、及び、第二ミキサーの前記出力を前記送信信号として前記アンテナへ出力するための前記アンテナと接続したアイソレータ（608）と、
前記第一ミキサーの第二入力部及び前記第二ミキサーの第二入力部と接続した出力部を有し、電圧制御入力部を有する電圧制御発振器（VCO）（614）と、
前記第一ミキサーの前記出力部と結合した入力部を有する位相検出器（624）であって、前記第一ミキサーの前記出力部からの信号を基準信号と比較し、前記衝突防止レーダーシステムから出力された信号を前記基準信号の周波数だけオフセットした信号に等しい周波数を有する信号を前記VCO出力部が出力することができるように前記位相検出器が前記VCOの前記電圧制御入力部へ信号を出力する出力部を有する前記位相検出器と、
第二ミキサーの第一の入力部と接続した出力部と入力部とを有する数値制御発振器（NCO）（646）であって、前記送信信号を受信したとき、距離（D）だけ離れた位置に物体が配置されていることを前記衝突防止レーダーシステムが示すように、基準信号周波数を前記ＮＣＯの前記入力に出力される数値によって制御される量だけオフセットした信号に等しい信号をその出力部において出力する前記NCOとを有することを特徴とする前記シミュレータ。
【請求項２】
請求の範囲1に記載のシミュレータにおいて、
前記位相検出器と接続した入力部と出力部とを有する微分回路（652）と、
前記VCO出力部が周波数を増加させていることを前記微分回路の出力部の状態が示すとき、前記微分回路の出力を受信し、前記NCOの前記入力部へ第一の数値を出力し、かつ、前記VCO出力部が周波数を減少させていることを前記微分回路出力部の状態が示すとき、前記送信信号を受信したとき物体が速度（dD/dt）で移動していることを前記衝突防止レーダーシステムが示すように、前記NCOの入力
部へ第二の数値を出力する格納手段（648,650,654,656）とを更に有することを特徴とする前記シミュレータ。
【請求項３】
請求の範囲2に記載のシミュレータにおいて、
前記格納手段が、
前記微分回路の前記出力部と接続した第一の入力部と、電圧基準と接続した第二の入力部と出力部とを有するコンパレータ（654）と、
前記コンパレータの前記出力と出力部と接続した入力部を有するインバータ（656）と、
ある値を格納するための第一のレジスタ（648）であって、前記NCOの入力部と接続した出力部を有し、前記インバータの前記出力部と接続したイネーブル入力部を有する前記第一レジスタと、
ある値を格納するための第二のレジスタ（650）であって、前記NCOの入力部と接続した出力部を有する前記第二のレジスタと、前記インバータの前記入力部と接続したイネーブル入力部とを有することを特徴とする前記シミュレータ。
【請求項４】
前記位相検出器の出力部と結合したテスト接続（VΔFT）であって、前記位相検出器の前記出力部における信号から決定されるような前記衝突防止レーダーシステムから出る前記受信信号の周波数範囲を示す前記テスト接続を更に有することを特徴とする請求の範囲1に記載のシミュレータ。
【請求項５】
請求の範囲1に記載のシミュレータにおいて、前記位相検出器が直角位相検出器であって、
第一のミキサーの出力部と第二の入力部と出力部と接続した第一の入力部を有する第一のマルチプライヤ（634）と、
第一のミキサーの出力部と、第二の入力部と出力と接続した第一の入力部を有する第二のマルチプライヤ（632）と、
マルチプライヤの第二の入力部と、第二マルチプライヤの第一及び第二入力部へ前記基準信号を出力するための基準信号生成装置（626,628,630）であって、第一マルチプライヤに対して出力される前記基準信号が第二マルチプライヤに対して出力されるとき前記基準信号から90度位相がずれている前記基準信号生成装置と、
第一マルチプライヤの前記出力と結合したロック信号生成装置（636）であって、前記第一マルチプライヤ出力部が第一電圧値のほぼDC信号を出力するとき第一の信号を出力し、前記出力部が第二の電圧値のほぼDC信号を出力することを前記第一マルチプライヤ出力部が示すとき第二の信号を出力する前記ロック信号生成装置と、
前記ロック信号生成装置出力部と接続した入力部と、加算器を通じて前記VCO入力部と結合した出力部とを有するサーチ信号生成装置（638）であって、前記ロック信号生成装置から第一信号を受信したとき、衝突防止レーダーシステムから前記信号によって出力され得る周波数を前記周波数範囲の中を前記VCO出力部で掃引するために前記VCO入力部へ変動電圧を出力する前記サーチ信号生成装置であって、前記ロック信号生成装置から第二信号を受信したときその出力部を使用禁止にする前記サーチ信号生成装置と、
第二マルチプライヤの前記出力を前記加算器を通じて前記VCOの前記入力部と結合するためのコンデンサと並列に接続したスイッチであって、前記ロック信号生成装置が第一信号を出力したとき閉じて、前記ロック信号生成装置が第二信号を出力したとき開くように前記スイッチを制御するように前記ロック信号生成装置と接続している前記スイッチを含む少なくとも１つの積算器（640,642）とを有することを特徴とする前記シミュレータ。
【請求項６】
前記第一マルチプライヤからの第一電圧値がゼロまたは正の値で、前記第一マルチプライヤからの第二電圧値が負の値であることを特徴とする請求の範囲5に記載のシミュレータ。
【請求項７】
衝突防止レーダーシステムをテストするためのシミュレータであって、
前記衝突防止レーダーシステムからの受信信号を出力し、前記衝突防止レーダーシステムへ送信信号を出力するためのアンテナ（606）と、
第一の入力部と、第二の入力部と出力部とを有する第一のミキサー（610）と、
第一の入力部と、第二の入力部と出力部とを有する第二のミキサー（612）と、
前記アンテナから第一ミキサーの第一入力部へ前記受信信号を出力するための、かつ、前記送信信号として第二ミキサーの前記出力を前記アンテナへ出力するための前記アンテナと接続したアイソレータ（608）と、
前記第一ミキサーの第二入力部並びに前記第二ミキサーの第二入力部と接続した出力部を有し、前記制御入力部を有する電圧制御発振器（VCO）（614）と、
前記第二ミキサーの第一の入力部と接続した出力部と、一つの入力部とを有する数値制御発振器（NCO）（646）であって、前記NCOの前記入力部で出力される数値によって制御されるような量だけ基準信号の周波数をオフセットした信号と等しい信号をその出力部で出力する前記NCOと、
直角位相検出器であって、
第一ミキサーの前記出力と接続した第一の入力部を有する第一のマルチプライヤ（634）と、第二の入力部と一つの出力部と、
第一ミキサーの前記出力と接続した第一の入力部と、第二の入力部と一つの出力部とを有する第二のマルチプライヤ（632）と、
第一マルチプライヤの第二入力部と第二マルチプライヤの第二入力部へ前記基準信号を出力する基準信号生成装置（626,628,630）であって、第一マルチプライヤへ出力される基準信号が第二マルチプライヤへ出力される基準信号から90度位相がずれている前記基準信号生成装置と、
前記第一マルチプライヤの出力と結合したロック信号生成装置（636）であって、第一マルチプライヤ出力が存在しないあるいは正のDC電圧値であるとき第一の信号を出力し、かつ、第一のマルチプライヤ出力部が負のDC電圧値であるとき第二の信号を出力する前記ロック信号生成装置と、
前記ロック信号生成装置出力部と接続した入力部と前記VCO入力部と結合した出力部とを有するサーチ信号生成装置（638）であって、
前記衝突防止レーダーシステムから出る前記信号によって出力され得る周波数を前記周波数範囲の中を前記VCO出力部で掃引するために、前記ロック信号生成装置から第一信号を受信したとき前記VCO入力部へ変動電圧を出力する前記サーチ信号生成装置であって、第二信号を前記ロック信号生成装置から受信したときその出力部を使用禁止にする前記サーチ信号生成装置と、
前記第二マルチプライヤの出力部を加算器を通じて前記VCOの前記入力部と結合するための、コンデンサと並列に接続したスイッチを含む積算器（640）であって、前記ロック信号生成装置が第一信号を出力するとき閉じ、前記ロック信号生成装置が前記第二信号を出力するとき開くように前記スイッチを制御するように前記ロック信号生成装置と接続する前記スイッチを含む前記積算器と、
前記位相検出器の積算器の出力部と接続した入力部と出力部とを有する微分回路（652）と、
前記微分回路の出力部と接続した第一の入力部と、電圧基準と接続した第二の入力部と、一つの出力部を有するコンパレータ（654）と、
前記コンパレータの出力部と接続した入力部と、一つの出力部とを有するインバータ（656）と、
ある値を格納するための第一のレジスタ（648）であって、前記NCOの入力部と接続した出力部を有し、前記インバータの出力部と接続したイネーブル入力部を有する前記第一レジスタと、
ある値を格納するための第二のレジスタ（650）であって、前記NCOの入力部と接続した出力部を有し、前記インバータの入力部と接続したイネーブル入力部を有する前記第二レジスタと
を有する前記直角位相検出器を有することを特徴とする前記シミュレータ。
【発明の詳細な説明】
本発明の背景
1．発明の分野
本発明は、性能精度のテスト装置すなわち衝突防止レーダーシステムの較正装置に関する。
2．関連技術の説明
図１は、レーダーシステムの性能精度のテスト用シミュレータとして通常利用される１2メートルの金属板108を備えた衝突防止レーダーシステム10の構成要素を図示したものである。図１に示す衝突防止レーダーシステム10は、通常自動車の前面またはグリル領域にアンテナ106を備えた自動車に取り付けられる。このシステムは、アンテナ106から信号を送信し、シミュレータ108や別の自動車のような他の反射物体から反射して還ってくる受信信号によって作動し、アンテナ106までの距離（D）が決定される。レーダーシステム10はこの受信信号によってその物体や他の車両の移動比率（dD/dt）を決定することもできる。この受信信号の処理によって警報装置や他の装置が起動され、車両の運転手は物体や車両との衝突を回避することができる。
図１に示すシステムには、ある範囲の周波数にわたって掃引するように構成されている発振器100が含まれる。発振器100の出力はスプリッタ102へ出力される。スプリッタ102の第一の出力は局部発振器信号（FLOLO）としてミキサー110の第一入力部へ出力される。スプリッタ102の第二の出力はアイソレータ104へ出力される。スプリッタ102からの信号はアイソレータ104によってアンテナ106の入力部へ出力され送信されるが、アンテナ106から受信した信号はアイソレータ104によってRF信号（FRFRF）としてミキサー110の第二の入力部へ出力される。
発振器100は通常最低周波数76GHzと最大周波数77GHzを持つある範囲の周波数の中を掃引する。76〜77GHzの範囲の周波数が連邦通信委員会（FCC）によって衝突防止レーダーシステム用として割り当てられている。発振器100は通常、図2に示すように1.2ミリ秒の時間周期で76〜77GHzの限界値の範囲内で250MHzの範囲の周波数を掃引する。図２では、掃引範囲の中心は76.5GHzとなっているが、250MHz範囲の中心が76GHzまたは77GHzの限界周波数の一方の近くになる場合もある。
発振器100から出力された信号は、図３に例示の送信信号としてアイソレータ104とアンテナ106を通じて出力される。次いでやはり図３に例示されているように、アンテナ106が受信した反射信号はFRF信号としてアイソレータ104により出力される。図３では受信信号が送信信号から周波数シフトされて図示されているが、この受信信号は図１に示す距離Dに従って周波数シフトされる。距離Dは、アンテナ104から１2メートル原器108のような反射物体が位置している所までの距離である。距離Dが０になれば、送信信号と受信信号との間の周波数シフトは生じなくなる。
図３に、ミキサー110の入力部に出力される送信信号FLOと受信信号FRFとの差である中間周波数信号FIFも示されている。ミキサー110は正負を区別できないのでミキサー100から出力される実際の信号FIFは図４に例示されているように時間とともに変化する正の周波数信号である。ミキサー110から出力する信号FIFの周波数は弁別装置（周波数／電圧変換器112）によって対応する電圧へ変換される。図４に図示のように1.2ミリ秒の規則的時間間隔で120のような遷移が生じるので、遷移120を弁別装置112によって濾波することができる。次いで弁別装置112からの電圧出力を処理して距離Dを決定することができる。
発振器100が出力する250MHzの掃引範囲と1.2msの時間周期を知ることによりミキサー110から出力されるFIFの周波数値に基づいて距離Dを決定する式を下記に示すように導き出すことができる。まず、時間（t）秒と距離Dメートルと光の速度ｃとの関係式は以下の通りである。
t＝D/c    （1）
ここでc＝299.8×106m/秒である。更に、送信信号と受信信号の周波数の差FIFと時間tとの関係式は以下の通りである。
FIF＝tΔt/Δf    （2）
ここでΔfは発振器100が出力する周波数掃引範囲であり、Δtは発振器100が周波数範囲を掃引する時間周期である。式（1）と（2）を組み合わせるとDに関して以下のようにFIFが得られる。
FIF＝DΔf/cΔt    （3）
FIFに関してDは
D＝FIFcΔt/Δf    （4）
式（4）からわかるようにΔf＝250MHzとΔt＝1.2ミリ秒を代入すると、１メートルの距離Dに対して周波数の差FIF＝695Hzが得られる。
ある物体がアンテナ106の方へあるいはアンテナ106から離れて移動していく比率すなわち時間に対するDの変化（dD/dt）も図１の回路構成によって決定することができる。シミュレータ108のような物体に関して、アンテナ106から離れて遠くへ移動すると、受信信号の周波数は図5Aに図示のように送信信号に比べて増加する。離れて移動している任意の物体に関して、図5Aに例示しているようにdD/dtに従って、送信信号の周波数が増加している時間中にミキサー110から出力される周波数FIFは、送信信号の周波数が減少している時間中の周波数FIFより小さくなる。アンテナ106の方へ接近して移動してくる物体については、受信信号の周波数は図5Bに図示されているように送信信号に比べて減少する。更に図5Bに例示されているように物体が接近して移動してくる場合、送信信号の周波数がdD/dtに従って増加している時間中にミキサー110から出力される周波数FIFは送信信号の周波数が増加している時間中の周波数FIFより大きくなる。したがって掃引時間の間のこの周波数の差を測定することによってdD/dtを決定することができる。
図１の衝突防止レーダーの適正な性能を保証するためには、該装置を規則的にテストすなわち較正しなければならない。たとえレーダーがその範囲外で適正に機能していたとしても、較正中、FCCによって明示されている76〜77GHzの範囲内で発振器100が作動していることを確かめなければならない。更に、250MHz掃引範囲Δfと1.2ミリ秒掃引時間Δtを確かめて、式（4）を使って正確な距離計算が行われていることを保証しなければならない。通常受信器は較正中発振器100と接続し、発振器が適正に機能していることが保証される。
シミュレータ108を使用することによっても較正は行われ、レーダーが適正な距離Dを100メートルの距離まで正確に示すことがチェックされる。以上説明したように、レーダーシステムが距離測定値の適正な変化dD/dtを示すことを保証するためにもシミュレータ108は利用される。
しかしながら、シミュレータとして１2メートル金属板原器を利用する際の欠点は、シミュレーションを行うために広い面積が必要となることである。もう一つの欠点として、dD/dtを決定するために指定された時間中金属板を指定された距離だけ移動させなければならないという不便さがある。
発明の概要
本発明によって、１2メートルの金属板原器によって要求されるスペースよりも著しく狭いスペースを使用しながら衝突防止レーダーシステムのテストが可能になる。更に、１2メートル金属板シミュレータに関して必要な装置の不便な移動を行わずにdD/dtのテストを行うことができる。
本発明によってまた、発振器100から出力される信号の周波数掃引範囲Δf及び該信号の時間周期Δを追加のテスト装置を発振器と接続せずにテストすることも可能となる。
本発明は図１に示す衝突防止レーダーシステムから出る信号を受信するための及びレーダーシステムの周波数を追尾する信号を生成するための回路構成を含むシミュレータである。本発明のシミュレータは更に、衝突防止レーダーシステムの出力信号から出る周波数で信号オフセットを生成し、衝突防止レーダーへオフセット信号を送信するするために、生成した追尾信号を利用する回路構成を含む。衝突防止レーダーはオフセットを制御して、ある物体が距離（D）の所に位置することを示す。
本発明は、オフセット信号によって、図5Aと5Bに図示のようにミキサー110の出力が生じるように、レーダーシステム出力周波数が増加しているとき第一の値を、そしてレーダーシステム出力周波数が減少しているとき第二の値を持つようにオフセットを制御する回路構成をさらに含む。オフセット信号を受信したとき物体が速度（dD/dt）で移動していることをレーダーシステムが示すように第一と第二のオフセット値が制御される。シミュレータは更に、レーダーシステムが生成する追尾信号から決定されるようなレーダーシステム出力の周波数範囲と振幅を示す構成要素を含む。
【図面の簡単な説明】
添付図面の助けを借りて本発明の詳細についてさらに説明する。
図１は、レーダーシステムの性能精度をテストするためのシミュレータと共に衝突防止レーダーシステムの構成要素を示す。
図２は、1.2ms時間周期中図１の発振器から出力される250MHzの周波数範囲を例示する。
図３は、送受信信号の差である信号FIFとともに、図１のレーダーシステムから出る送受信信号を示す。
図４は、図１のレーダーシステムのミキサーから出力される信号を図示する。
図5Aは、ある物体がレーダーシステムから離れて遠くのほうへ移動しているとき、図１のレーダーシステムから出る送受信信号をレーダーシステムのミキサーから出力される信号FIFとともに図示するものである。
図5Bは、物体がレーダーシステムの方へ近づいて移動してくるとき、図１のレーダーシステムから出る送受信信号をレーダーシステムのミキサーから出力される信号FIFと共に図示する。
図６は、衝突防止レーダーシステムをテストすなわち較正するために利用される本発明のシミュレータを図示する。
図７は数値制御発振器（NCO）の通常の構成を図示する。
図８は、図６の微分回路に対して出力される信号と、その結果生じる微分回路の出力とを例示する。
詳細な説明
図６は、図１に示す衝突防止レーダーシステム10をテストすなわち較正するために利用する本発明のシミュレータを図示する。シミュレータは衝突防止レーダーシステム10のアンテナ106にすぐ隣接して作動中配置されているアンテナ606を含む。アンテナ606はレーダーシステム106から受信された受信信号（F）をミキサー610の第一の入力部へ出力するアイソレータ608と接続されている。アイソレータ608はまたミキサー612の出力部と接続し、アンテナ606を通じて送信信号としてレーダーシステム10へミキサー612からの信号を出力する。減衰器613はミキサー612とアイソレータ608との間で接続され、アンテナ606から送信された信号が距離Dにある物体から反射される類似信号の信号強度をシミュレートする。
追尾信号FTは、電圧制御発振器（VCO）614によってミキサー610とミキサー612の第二の入力部へ出力される。追尾信号FTが制御され、基準信号Foによる周波数オフセットで受信信号Fが追尾される。他の値を選択してもよいが、図６の基準信号Foは10MHzと想定されている。
信号FTがオフセットFoをもつ信号Fを追尾しているとき、ミキサー610の出力は広帯域ノイズを持つ基準周波数Foを有する信号となる。ミキサー610の出力は前置増幅器616を通じて低域フィルタ618へ出力される。低域フィルタ618が機能して増幅器620に印加される信号の中に広帯域ノイズが限定され、増幅器620の信号対雑音比が許容限界値の範囲内に入るようなる。ここでは、Fo＝10MHzと仮定して、フィルタ610が20MHzフィルタとなるように図示されている。増幅器620は衝突防止レーダーシステムから出る信号Fの振幅の決定を可能にする相対的信号強さ信号（VRSS）テストの接続を行う。増幅器620は更に固定振幅をもつ矩形波出力を帯域通過フィルタ622に対して行う。帯域通過フィルタ622は、基準信号Fo（ここでは10MHz）に中心値がある帯域通過範囲を有する固定振幅正弦波出力を行う。
位相検出器624は帯域通過フィルタ622の出力を受信する。位相検出器624はフィルタ622からの信号を基準信号Foと比較し、VCO614の電圧制御入力の差を示す出力を行う。推奨される位相検出器624は、カリフォルニア州モーガンヒル（Morgan Hill）のWiltron Company製のWiltron360分析器に見られる、図６に例示の構成要素を有する。位相検出器624は、信号FTがF±Foとなり得るので、Wiltron360分析器に構成されているように直角位相検出器であり、位相検出器624の回路構成によって所望の信号の一つを検出することが可能になる（好適にはF+Foであることが望ましい）ので、衝突防止レーダー信号Fの周波数を正確に測定するために追尾信号FTを使用できるようになる。例えば、F＝76．5GHzでFo＝10MHzの場合、位相ロックが得られるとF−FTあるいはFT−Fを区別できない位相検出器では、信号FTは76.51GHzまたは76.49GHzのいずれかになり得る。図示のように構成された位相検出器624では76.51GHzの信号しか検出できなくなる。
位相検出器624には発振器626と二つのD型フリップフロップ628と630が含まれ基準信号Foが生成される。発振器626は、基準信号周波数の４倍の信号（この場合40MHz）をフリップフロップ628と630のクロック入力部へ出力する。フリップフロップ628のQ出力はフリップフロップ630のD入力部と接続している。フリップフロップ630のQ出力部はフリツプフロップ628のD入力部と接続している。接続されると、フリップフロップ628と630のQ出力部はそれぞれ10MHz信号Foを出力し、フリップフロップ628のQ出力はフリップフロップ630のQ出力に対して90度位相がずれている。
フリップフロップ628のQ出力はマルチプライヤ634の第一の入力部へ出力され、フリップフロップ630のQ出力はマルチプライヤ632の第一の入力部へ出力される。マルチプライヤ632と634の第二の入力はフィルタ622から行われる。マルチプライヤ634の出力はロック信号生成装置636に対して行われる。
ロック信号生成装置636は、帯域通過フィルタ622から出てマルチプライヤ634を通りそこから出力された信号が存在しないかF−FTであるとき、アンロック信号を出力し、帯域通過フィルタ622によってマルチプライヤ634へ出力された信号がFT−Fであるときロック信号を出力する。ロック信号生成装置の出力は、サーチ信号生成装置638並びにマルチプライヤ632の出力と直列に接続している積算器640と642に対して行われる。
サーチ信号生成装置638は加算器644を通じて発振器614の入力部へ出力を行う。サーチ信号生成装置638は、ロック信号生成装置636がアンロックされた状態を示すとき、連続的掃引信号を出力してFの可能周波数の範囲を通してVCO614の出力部で周波数を掃引する。サーチ信号生成装置638は、信号FTがFoのオフセットをもつ信号Fを追尾しているときロック信号生成装置がロックされた状態を示すとその出力信号を使用禁止にする。
直列積算器640と642は加算器644を通じてVCO614の入力部へ同じように信号を出力する。積算器640と642にはコンデンサと並列に接続されたスイッチがそれぞれ含まれる。スイッチは、アンロックされた状態でクローズされ、ロックされた状態でオープンされるようにロック信号生成装置の出力によって制御される。アンロックされた状態では積算器640と642は使用禁止となり、マルチプライヤ632の出力は、低い利得と有限のフェーズエラーを持つ加算器644に対して行われる。しかし、ロックされた状態では、積算器640と642は使用可能となりマルチプライヤ632から加算器644を通じてフェーズエラーのない高い利得を持つ信号を出力し、VCO614入力を制御して信号FTがオフセットFoをもつ信号Fを追尾するようになる。
作動時にロック信号生成装置636は最初アンロックされた状態になっている。次いでサーチ信号生成装置638が加算器644に対して掃引電圧を出力して、VCO614から出る信号FTにほぼ76〜77GHzの周波数を掃引させる。更に、このロック信号生成装置は積算器640と642を使用禁止にし、サーチ信号生成装置638によってVCO614がF±Ｆ0を掃引する場合、マルチプライヤ632が、一時的にVCO614を位相ロックするVCO614に低い利得信号経路を設けるようにする。信号FTがF±Ｆ0に等しくない場合、マルチプライヤ634からロック信号生成装置636へ出力されるDC信号は０ボルトとなる。信号FT＝F−Foの場合には、マルチプライヤ634からロック信号生成装置636へ出力されるDC信号は平均的正の電圧値となる。信号FT＝F＋Foの場合は、マルチプライヤ634からロック信号生成装置636へ出力されるDC信号は平均的負電圧値となる。ロック信号生成装置636は好適には、マルチプライヤ634の出力がFT＝F＋Foを示すときだけロックを示すようにセットされることが望ましい。FTがF±Ｆ0と等しくない場合は、ロック信号生成装置636がアンロックされた状態を示す信号を送り続け、サーチ信号生成装置638がその出力部で電圧を掃引し続ける。FT＝F＋Foの場合、ロック信号生成装置636はサーチ信号生成装置638を使用禁止にし、信号FTを使用可能にする積算器640と642を信号F＋オフセットFoで位相ロックすることが可能になる。FT＝F＋Foのときロック信号生成装置636がロックを示しているにもかかわらず、FT＝F−Foのとき平均的正の電圧値を受け入れることによって二者択一的にロックを示すようにセットされることもあることに留意されたい。
Fの周波数表示を出力するために、信号VFTを出力するためのテスト接続としてVCO614への電圧制御入力が行われる。従来のテスト構成として図１に示す衝突防止レーダーシステム10の発振器100と接続する必要なく位相ロックが得られるとき、信号VFTによってFの周波数を決定することが可能となる。
ミキサー612の第二の入力部は数値制御発振器（NCO）646の出力部と接続している。通常の32ビットNCOはアナログ装置AD9850である。好適には32ビットNCOを利用することが望ましいが、４ビットNCO646の構成を図７に示す。図７のNCOには、加算器702の第一のセットの入力部A0-3と接続したp出力部を備えた一連のDフリップフロップ700が含まれる。次いで加算器702の出力Σ0-3はフリップフロップ700のD入力部へフィードバックされる。加算器への第二のセットの入力B0-3は入力としてNCOへ出力される。フリップフロップ700のQ出力は、サイン出力リードオンリーメモリー（サインROM）704とD/A変換器706を通じて更に出力されNCO（FNCO）の出力が行われる。
作動時に、加算器702によって与えられるカウントが、フリップフロップ700に対して出力されるクロック（CK）とともに進行し、加算器702へのB0-3入力に従って増加して進行する。例えば、B0-3の入力が0001の場合、カウントは２進数の１だけ進み、B0-3の入力が0010の場合、カウントは２進数の２だけ進むことになる。次いでサインROM704の出力値は加算器702のオーバーフローまで増加し、次いでB0-3入力によって制御される周波数を持つD/A変換器706の出力部（サイン出力部）における信号の生成がリセットされる。図７の４ビットNCOについて、NCOの出力FNCO＝サイン出力＝（入力）（CK）/24となる。
図６のNCO646への入力（INPUT）はレジスタ648と650から行われる。レジスタ648と650に格納された値NAとNB並びにNCO646に設けられた適当なCKによって、レジスタ648と650によって制御されるような量ΔFだけ、基準信号Foオフセットの周波数を持つ信号FNCOをNCO646が出力することが可能となる。
ミキサー612の出力はFT±FNCOとなる。信号FT＋FNCOは、衝突防止レーダー10によって受け入れられる周波数範囲を超え、提案される10MHz信号のような十分に高い値としてFoが選択される限り濾波されることになる。FTがF＋Foであり、FNCOがFo−ΔFである場合、衝突防止レーダーシステムに対して出力されるミキサー612の出力は、FT−FNCO＝（F＋Fo）−（Fo−ΔF）＝F＋ΔFとなる。レジスタ648と650に格納された値はプロセッサによって出力され、選択された距離Dだけ離れた位置に物体が配置されていることをΔFのオフセットが衝突防止レーダーシステム10に表示させるように制御される。
二つの別個のレジスタ648と650を利用して、オフセットΔFを制御してある物体が速度dD/dtで移動していることを衝突防止レーダーシステム10に表示させることが可能になる。図６の回路には微分回路652、コンパレータ654及びインバータ656が含まれ、ΔFが速度dD/dtを示すことができるようにレジスタ648と650が制御される。
微分回路652は積算器642と接続した入力部を有する。位相ロックが生じると、積算器642は図８に図示のように信号800を出力し、微分回路652の出力は信号802となる。Fの周波数の増減に一致して信号800が電圧を増減させるので、信号802の状態はFの周波数が増減しているかどうかを示す。電圧振幅を出力して後続の回路構成を適切に駆動するために、微分回路652の出力がコンパレータ654を通じて出力される。このようにコンパレータ654の出力は、信号Fの周波数が増減しているかどうかによって接地あるいは論理０と論理１の間で遷移する。
コンパレータ654の出力はレジスタ650のイネーブル入力部に対して行われる。コンパレータ654の出力はインバータ656を通じてレジスタ648のイネーブル入力部に対して更に行われる。接続して、Fの周波数が増加しているときレジスタ648と650の一方の出力は使用可能になり、Fの周波数が減少しているときレジスタ648と650のもう一方の出力が使用可能になる。プロセッサが異なる値NAとNBをレジスタ648と650へ出力し、アンテナ606から送信された信号によって、図５に図示のように図１の衝突防止レーダーシステム10の中のミキサー110の出力が現れる。レジスタ648と650に格納された値NAとNBを制御して、オフセットΔFは、ある物体が選択された速度（dD/dt）で移動していることを衝突防止レーダーシステムに表示させる。
以上本発明を特別な例について説明してきたが、これは単に当業者に本発明の作り方と使い方を教示するものにすぎない。以下の請求の範囲によって画定される範囲に入るように、多くの変更を本発明の範囲の中に入れることができる。
【図１】
0003996645.tif 000002
【図２】
0003996645.tif 000003
【図３】
0003996645.tif 000004
【図４】
0003996645.tif 000005
【図５Ａ】
0003996645.tif 000006
【図５Ｂ】
0003996645.tif 000007
【図６】
0003996645.tif 000008
【図７】
0003996645.tif 000009
【図８】
0003996645.tif 000010